(57)【要約】      （修正有）【課題】湾曲した発光面を備える発光装置を提供する。また、信頼性の高い発光装置を提供する。【解決手段】基板１０１に可塑性を有する基板１０１を用い、基板１０１を平坦にした状態で発光デバイス１１０を形成し、次いで、湾曲した表面を備える支持体１２１の表面に、上記発光デバイスが形成された基板１０１を湾曲させて配置する。その後、その状態のまま発光デバイスを保護する保護層１２５を形成することにより、湾曲した発光面を備える照明装置や表示装置などの発光装置を作製すればよい。【選択図】図２
2020167174.tif 000002
【特許請求の範囲】
【請求項１】
トランジスタと、前記トランジスタと電気的に接続された発光素子とが設けられた基板と、
前記トランジスタ及び前記発光素子を間に挟んで、前記基板と対向する積層体と、を有し、
前記積層体は、ガラスを有する第１の層と、樹脂を有する第２の層と、前記第１の層と前記第２の層との間の接着材を有する第３層と、を有し、
前記第１の層は、可撓性を有し、且つ、前記樹脂層よりも前記発光素子の近くに配置されている、発光装置。
【請求項２】
トランジスタと、前記トランジスタと電気的に接続された発光素子とが設けられた基板と、
前記トランジスタ及び前記発光素子を間に挟んで、前記基板と対向する積層体と、を有し、
前記積層体は、ガラスを有する第１の層と、樹脂を有する第２の層と、前記第１の層と前記第２の層との間の接着材を有する第３層と、を有し、
前記第１の層は、可撓性を有し、且つ、前記樹脂層よりも前記発光素子の近くに配置され、
前記第１の層の厚さは、２０μｍ以上２００μｍ以下であり、
前記第２の層の厚さは、１０μｍ以上２００μｍ以下である、発光装置。
【請求項３】
トランジスタと、前記トランジスタと電気的に接続された発光素子とが設けられた基板と、
前記トランジスタ及び前記発光素子を間に挟んで、前記基板と対向する積層体と、を有し、
前記積層体は、ガラスを有する第１の層と、樹脂を有する第２の層と、前記第１の層と前記第２の層との間の接着材を有する第３層と、を有し、
前記第１の層は、可撓性を有し、且つ、前記樹脂層よりも前記発光素子の近くに配置され、
前記第１の層の厚さは、２５μｍ以上１００μｍ以下であり、
前記第２の層の厚さは、１０μｍ以上２００μｍ以下である、発光装置。
【発明の詳細な説明】
【技術分野】
【０００１】
本発明は、発光装置とその作製方法に関する。特に曲面を有する発光装置に関する。
【背景技術】
【０００２】
有機ＥＬ（Ｅｌｅｃｔｒｏｌｕｍｉｎｅｓｃｅｎｃｅ）素子の研究開発が盛んに行われ
ている。有機ＥＬ素子（以下、ＥＬ素子、または発光素子ともいう。）の基本的な構成は
、一対の電極間に発光性の有機化合物を含む層を挟持したものである。この素子に電圧を
印加することにより、発光性の有機化合物から発光を得ることができる。
【０００３】
有機ＥＬ素子が適用された発光装置としては、例えば照明装置や、薄膜トランジスタを
組み合わせた画像表示装置などが挙げられる。
【０００４】
有機ＥＬ素子は膜状に形成することが可能であるため大面積の素子を容易に形成するこ
とができ、照明等に応用できる面光源としての利用価値も高い。例えば、特許文献１には
、有機ＥＬ素子を用いた照明器具が開示されている。
【０００５】
また、有機ＥＬ素子が適用された画像表示装置は、液晶表示装置等で必要であったバッ
クライトが不要なため、薄型、軽量、高コントラストで且つ低消費電力な表示装置を実現
できる。
【０００６】
有機ＥＬ素子を形成する際に、絶縁表面を有する基板上に形成した下部電極上に、発光
性の有機化合物を含む層を形成する方法としては、例えば真空蒸着法や塗布法などがある
。また、下部電極や上部電極を形成する方法としては、真空蒸着法、スパッタリング法の
ほか、塗布法、印刷法などがある。
【０００７】
また近年では、発光装置の形状の多様化が求められている。その一つに、曲面を有する
発光装置がある。発光装置に曲面を持たせることによりデザイン性や汎用性が高まり、設
置する場所や組み込む部材の形状の自由度が高まる。例えば建造物や自動車の内装または
外装の曲面に沿って照明装置や表示装置を組み込むことが可能となる。またリストバンド
などの着用可能な照明装置や表示装置、曲面を有する表示部を備えた携帯電話やタブレッ
ト端末などの携帯端末など、様々な用途に用いることができる。
【先行技術文献】
【特許文献】
【０００８】
【特許文献１】特開２００９−１３０１３２号公報
【発明の概要】
【発明が解決しようとする課題】
【０００９】
ここで、ＥＬ素子を構成する下部電極、発光性の有機化合物を含む層、及び上部電極を
順次積層して形成する際、基板面内で各々の厚さを均一にする必要がある。これらの厚さ
が基板面内で不均一であると、基板面内で発光輝度に分布が生じる場合がある。特に電極
間に挟持される発光性の有機化合物を含む層の厚さが薄い箇所では、電界集中により輝度
が高くなる、またはショートしてしまう恐れがあり、一方この厚さが厚い場合には発光に
要する電圧が高くなり、輝度が低下する、または非発光な領域が形成されてしまう。
【００１０】
しかしながら、曲面を有する基板にＥＬ素子を形成する場合、ＥＬ素子を構成する下部
電極、発光性の有機化合物を含む層、及び上部電極の厚さを均一に形成することが困難で
あった。真空蒸着法やスパッタリング法を用いた場合では、蒸着源またはターゲットと被
形成面との距離や角度に依存して形成される膜の成膜速度が異なる。また、塗布法や印刷
法は装置の構成上、曲面を有する基板に適用することが極めて困難である。
【００１１】
本発明は、このような技術的背景のもとでなされたものである。したがって、本発明は
、湾曲した発光面を備える発光装置を提供することを課題の一とする。また、信頼性の高
い発光装置を提供することを課題の一とする。
【００１２】
本発明の一態様は、上記課題の少なくとも一を解決するものである。
【課題を解決するための手段】
【００１３】
上記課題を解決するために、本発明は、発光素子を形成する基板の材質に着眼した。基
板に可塑性を有する基板を用い、基板を平坦にした状態で発光素子を形成し、次いで、湾
曲した表面を備える支持体の該表面に、上記発光素子が形成された基板を湾曲させて配置
する。その後、その状態のまま発光素子を保護する保護層を形成すればよい。
【００１４】
なお、本明細書等における曲面とは、平面を伸縮することなく変形することにより得ら
れる曲面をいう。言い換えると、曲面上の任意の点において、平面と線で接することので
きる曲面を指す。ここで、本明細書等における曲面には、平面を伸縮することなく変形す
ることにより得られない曲面（いわゆる３次元曲面）を含まないものとする。
【００１５】
また、本明細書等における「湾曲した面」は、上記曲面と同義である。
【００１６】
このような方法により、湾曲した発光面を備える照明装置や表示装置などの発光装置を
作製することができる。
【００１７】
作製された発光装置は、保護層を形成した後に支持体から分離しても、可塑性の基板に
よりその形態を保持することができる。そのため、発光装置は支持体の湾曲面と同様に湾
曲した発光面を備える発光装置として使用することができる。
【００１８】
すなわち、本発明の一態様の発光装置は、湾曲した表面を備え、可塑性を有する基板と
、基板の表面上に形成された、一対の電極間に発光層を備える発光素子と、発光素子を覆
う封止層と、封止層上に接する保護層と、を備える。
【００１９】
このような構成の発光装置は、湾曲した発光面を備え、且つ発光素子を覆う封止層と、
封止層上に接する保護層により、外部からの水などの不純物の拡散が抑制され、信頼性の
高い発光装置となる。
【００２０】
また、本発明の他の一態様の発光装置は、湾曲した表面を備え、可塑性を有する基板と
、基板の表面上に形成され、且つ、一対の電極間に発光層を備える発光素子及びトランジ
スタを備える、複数の画素と、発光素子を覆う封止層と、封止層上に接する保護層と、を
備える。
【００２１】
また、このように、トランジスタと発光素子とを組み合わせた複数の画素が設けられた
画像表示装置にも適用することができる。このような発光装置は、例えば建造物や車両な
どの湾曲した壁面や天井に貼り付けて使用することもできるし、デザイン性の高い携帯端
末などの電子機器を実現できる。
【００２２】
また、本発明の他の一態様の発光装置は、上記いずれかの発光装置において、基板が、
金属、または合金を含むことを特徴とする。
【００２３】
また、本発明の他の一態様の発光装置は、上記いずれかの発光装置において、基板が、
アルミニウム、銅、鉄、ニッケル、チタン、マグネシウムから選ばれた少なくとも１種を
含むことを特徴とする。
【００２４】
このように、発光装置が設けられる基板に、熱伝導性の高い金属材料、または合金材料
を用いることにより、放熱性を高めることができる。したがって、長時間使用したとして
も発光装置の発熱を抑えることができるため、信頼性の高い発光装置とすることができる
。
【００２５】
また、本発明の他の一態様の発光装置は、上記いずれかの発光装置において、発光素子
と基板の間に、平坦化層を備えることを特徴とする。
【００２６】
またこのように、発光素子よりも基板側に平坦化層を設けると、発光素子を構成する層
の厚さの均一性が高まるため好ましい。特に金属や合金材料を含む基板では、その表面の
起伏が大きい場合が多いため、平坦化層を設けることは特に有効である。
【００２７】
また、本発明の他の一態様の発光装置は、上記いずれかの発光装置において、平坦化層
が、熱伝導性の材料を含むことを特徴とする。
【００２８】
また、本発明の他の一態様の発光装置は、上記いずれかの発光装置において、平坦化層
が、金属、又は合金からなる粒子が分散された樹脂を含むことを特徴とする。
【００２９】
またこのように、より発光素子に近い平坦化層に、熱伝導性の材料を用いることにより
、発光素子からの発熱を抑えることができる。また特に、金属材料または合金材料を含む
熱伝導性の基板を用いた場合では、当該平坦化層を介して発光素子からの発熱を基板に伝
えることができるため、より発光装置の発熱を抑制することができる。
【００３０】
また、本発明の他の一態様の発光装置は、上記いずれかの発光装置において、保護層が
、ガラス層を含んで構成されることを特徴とする。
【００３１】
またこのように、発光素子を保護する保護層にガラス層を適用することにより、水や酸
素などの不純物の拡散を極めて抑制できるため好ましい。
【００３２】
また、本発明の他の一態様の発光装置は、上記いずれかの発光装置において、保護層が
、ガラス層と、接着層と、樹脂層が順に積層された積層体であることを特徴とする。
【００３３】
またこのように、保護層としてガラス層に樹脂層が積層された構成とすることにより、
ガラス層の割れやクラックの発生を抑制することができ、強度の高い発光装置とすること
ができる。またこのとき、ガラス層が発光素子と対向するように設けると、樹脂層からの
不純物の拡散を抑制することができるため特に好ましい。
【００３４】
また、本発明の一態様の発光装置の作製方法は、可塑性を有する基板を、一表面が平坦
になるように配置し、基板の一表面上に、第１の電極と、発光層と、第２の電極とを順に
積層して、発光素子を形成する工程と、発光素子が形成された基板を、湾曲した表面を備
える支持体上に、発光素子が形成された一表面とは反対の面が支持体と対向するように、
支持体の湾曲した表面に沿って湾曲させて配置する工程と、基板の一表面上に、硬化性の
材料を滴下する工程と、基板の発光素子が設けられていない領域上で、硬化性の材料と端
部の一部が接するように保護層を配置し、保護層と硬化性の材料が接する領域において、
保護層を固定する工程と、保護層を、保護層の基板と対向する表面が、発光素子が設けら
れた領域における硬化性の材料に接するように、基板の一表面に沿って湾曲させる工程と
、硬化性の材料を硬化し、封止層を形成する工程と、を有する。
【００３５】
このような方法により、湾曲した発光面を備える発光装置を作製することができる。ま
た発光素子を形成する際、被形成面が平坦な状態とすることにより、発光素子を構成する
層の厚さの均一性が高まり、基板面内での発光輝度を均一にすることができる。また、保
護層を形成する際、先にその端部のみを接着し、その後基板面に沿って湾曲させながら、
後の封止層となる熱硬化性材料と密着させることにより、保護層と封止層との間への気泡
などの混入が抑制され、信頼性の高い発光装置を作製することができる。
【００３６】
また、本発明の他の一態様の発光装置の作製方法は、可塑性を有する基板を、一表面が
平坦になるように配置し、基板の一表面上に、第１の電極と、発光層と、第２の電極とを
順に積層して、発光素子を形成する工程と、発光素子が形成された基板を、湾曲した表面
を備える支持体上に、発光素子が形成された一表面とは反対の面が支持体と対向するよう
に、支持体の湾曲した表面に沿って湾曲させて配置する工程と、基板の一表面上に、光硬
化性の材料を滴下する工程と、基板の発光素子が設けられていない領域上で、光硬化性の
材料と端部の一部が接するように保護層を配置し、保護層と光硬化性の材料が接する領域
に光を照射して、光硬化性の材料の一部を硬化させて、保護層と基板の一部を接着する封
止層の一部を形成する工程と、保護層を、保護層の基板と対向する表面が、発光素子が設
けられた領域における光硬化性の材料に接するように、基板の一表面に沿って湾曲させる
工程と、光硬化性の材料の硬化していない部分に光を照射し、封止層を形成する工程と、
を有する。
【００３７】
またこのような方法により、保護層の一部と基板とを固定させるための固定具を必要と
しないため、容易に湾曲した発光面を有する発光装置を作製できる。
【００３８】
また、本発明の他の一態様の発光装置の作製方法は、平坦面を備える支持基板の、平坦
面上に被剥離層を形成し、被剥離層上に、一対の電極間に発光層を備える発光素子と、ト
ランジスタと、を備える複数の画素を形成する工程と、支持基板から、画素が形成された
被剥離層を剥離し、可塑性を有する基板の一表面上に画素が形成された被剥離層を転写す
る工程と、画素を備える基板を、湾曲した表面を備える支持体上に、画素を備える一表面
とは反対の面が支持体と対向するように、支持体の湾曲した表面に沿って湾曲させて配置
する工程と、基板の一表面上に、硬化性の材料を滴下する工程と、基板の画素が設けられ
ていない領域上で、硬化性の材料と端部の一部が接するように保護層を配置し、保護層と
硬化性の材料が接する領域において、保護層を固定する工程と、保護層を、保護層の基板
と対向する表面が、画素が設けられた領域における硬化性の材料に接するように、基板の
一表面に沿って湾曲させる工程と、硬化性の材料を硬化し、封止層を形成する工程と、を
有する。
【００３９】
またこのような方法により、湾曲し、且つ複数の画素からなる表示部を備える画像表示
装置を形成することが可能となる。発光素子に加え、トランジスタを形成する際にも被形
成面を平坦な状態とすることができるため、容易に形成できるほか、トランジスタの電気
特性のばらつきが抑制され、信頼性の高い表示装置とすることができる。
【００４０】
また、本発明の他の一態様の発光装置の作製方法は、平坦面を備える支持基板の、平坦
面上に被剥離層を形成し、被剥離層上に、一対の電極間に発光層を備える発光素子と、ト
ランジスタと、を備える複数の画素を形成する工程と、支持基板から、画素が形成された
被剥離層を剥離し、可塑性を有する基板の一表面上に画素が形成された被剥離層を転写す
る工程と、画素を備える基板を、湾曲した表面を備える支持体上に、画素を備える一表面
とは反対の面が支持体と対向するように、支持体の湾曲した表面に沿って湾曲させて配置
する工程と、基板の一表面上に、光硬化性の材料を滴下する工程と、基板の画素が設けら
れていない領域上で、光硬化性の材料と端部の一部が接するように保護層を配置し、保護
層と光硬化性の材料が接する領域に光を照射して、光硬化性の材料の一部を硬化させて、
保護層と基板の一部を接着する封止層の一部を形成する工程と、保護層を、保護層の基板
と対向する表面が、画素が設けられた領域における光硬化性の材料に接するように、基板
の一表面に沿って湾曲させる工程と、光硬化性の材料の硬化していない部分に光を照射し
、封止層を形成する工程と、を有する。
【００４１】
またこのように、光硬化性の材料を用いて保護層の一部を固定させることが好ましい。
【００４２】
また、発光装置を作製した後に、支持体から外して使用してもよいし、支持体に保持さ
れた状態で使用してもよい。例えば照明装置や電子機器の筐体となる部材を支持体として
用い、支持体上に発光装置を作製した後、そのまま照明装置や電子機器に組み込んでもよ
い。
【００４３】
また、本発明の他の一態様の発光装置の作製方法は、上記いずれかの発光装置の作製方
法において、基板に、金属、または合金を含む基板を用いることを特徴とする。
【００４４】
また、本発明の他の一態様の発光装置の作製方法は、上記いずれかの発光装置の作製方
法において、基板に、アルミニウム、銅、鉄、ニッケル、チタン、マグネシウムから選ば
れた少なくとも１種を含む基板を用いることを特徴とする。
【００４５】
またこのように、基板として熱伝導性の高い金属材料又は合金材料を用いると、放熱性
が高められた発光装置を作製できる。また、基板の素子が形成される表面上に平坦化膜、
または熱伝導性を備える材料を含む平坦化膜を用いても良い。
【００４６】
また、本発明の他の一態様の発光装置の作製方法は、上記いずれかの発光装置の作製方
法において、保護層に、ガラス層を含む構成を用いることを特徴とする。
【００４７】
また、本発明の他の一態様の発光装置の作製方法は、上記いずれかの発光装置の作製方
法において、保護層に、ガラス層と、接着層と、樹脂層が順に積層された積層体を用いる
ことを特徴とする。
【００４８】
またこのような作製方法により、水や酸素などの不純物の拡散が抑制され、信頼性の高
い発光装置を作製できる。さらにガラスと樹脂の積層体を用いることにより機械的強度が
高められた発光装置を作製できる。
【００４９】
なお、本明細書において、ＥＬ層とは発光素子の一対の電極間に設けられ、少なくとも
発光性の有機化合物を含む層（発光層とも呼ぶ）、または発光層を含む積層体を示すもの
とする。
【００５０】
なお、本明細書中において、発光装置とは画像表示デバイス、発光デバイス、もしくは
光源（照明装置含む）を指す。また、発光装置にコネクター、例えばＦＰＣ（Ｆｌｅｘｉ
ｂｌｅ  ｐｒｉｎｔｅｄ  ｃｉｒｃｕｉｔ）もしくはＴＡＢ（Ｔａｐｅ  Ａｕｔｏｍａｔ
ｅｄ  Ｂｏｎｄｉｎｇ）テープもしくはＴＣＰ（Ｔａｐｅ  Ｃａｒｒｉｅｒ  Ｐａｃｋａ
ｇｅ）が取り付けられたモジュール、ＴＡＢテープやＴＣＰの先にプリント配線板が設け
られたモジュール、または発光素子が形成された基板にＣＯＧ（Ｃｈｉｐ  Ｏｎ  Ｇｌａ
ｓｓ）方式によりＩＣ（集積回路）が直接実装されたモジュールも全て発光装置に含むも
のとする。
【発明の効果】
【００５１】
本発明によれば、湾曲した発光面を備える発光装置を提供できる。また、信頼性の高い
発光装置を提供できる。
【図面の簡単な説明】
【００５２】
【図１】本発明の一態様の発光装置の作製方法を説明する図。
【図２】本発明の一態様の発光装置の作製方法を説明する図。
【図３】本発明の一態様の発光装置を説明する図。
【図４】本発明の一態様の発光装置を説明する図。
【図５】本発明の一態様の発光装置の作製方法を説明する図。
【図６】本発明の一態様の発光装置の作製方法を説明する図。
【図７】本発明の一態様の発光装置の適用例を説明する図。
【図８】実施例１に係る温度特性の測定結果。
【図９】実施例２に係る発光装置の写真像。
【発明を実施するための形態】
【００５３】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。なお、以下に説明する発明の構成におい
て、同一部分又は同様な機能を有する部分には同一の符号を異なる図面間で共通して用い
、その繰り返しの説明は省略する。
【００５４】
なお、本明細書で説明する各図において、各構成の大きさ、層の厚さ、または領域は、
明瞭化のために誇張されている場合がある。よって、必ずしもそのスケールに限定されな
い。
【００５５】
（実施の形態１）
本実施の形態では、本発明の一態様の発光装置と、その作製方法について、図面を参照
して説明する。
【００５６】
［発光装置の作製方法例］
以下では、図１及び図２を用いて本発明の一態様の発光装置の作製方法を説明する。図
１（Ａ）〜（Ｄ）、ならびに図２（Ａ）〜（Ｅ）は、それぞれの段階における上面概略図
と、上面概略図中に示す切断線Ａ−Ｂによって切断した断面概略図である。
【００５７】
まず、基板１０１を準備する。基板１０１には、可塑性を有する材料を用い、少なくと
も被形成面が平坦な基板を用いる。
【００５８】
また、基板１０１として、金属または合金材料を用いると、後に形成される発光素子か
らの発熱に対する放熱性が高まるため好ましい。基板１０１に用いる材料としては、アル
ミニウム、銅、鉄、ニッケル、チタン、マグネシウムなどの金属材料や、これを含む合金
材料を用いることができる。またステンレスやジュラルミンを用いても良い。
【００５９】
また、導電性の基板の表面を酸化する、または表面に絶縁膜を形成するなどし、絶縁処
理が施された基板を用いることが好ましい。例えば、電着法、またはスピンコート法やデ
ィップ法などの塗布法、蒸着法、またはスパッタリング法などの方法を用いて絶縁膜を形
成してもよいし、酸素雰囲気で放置、または加熱する、そのほか陽極酸化法、などの公知
の方法により、基板１０１の表面に酸化膜をしてもよい。
【００６０】
続いて、基板１０１の被形成面上に平坦化層１１３を形成する。平坦化層１１３は、基
板１０１の表面の凹凸形状を被覆し、平坦化する目的で形成する。平坦化層１１３として
は絶縁性の材料を用いることができ、例えばポリイミド、アクリル、エポキシ、ベンゾシ
クロブテン等の有機材料を用いることができる。
【００６１】
平坦化層１１３は、スピンコート法、ディップ法などの塗布法、インクジェット法やデ
ィスペンス法などの吐出法、スクリーン印刷などの印刷法などを用いて形成することがで
きる。
【００６２】
また、平坦化層１１３に、金属または合金材料からなる粒子が分散された有機樹脂を用
いることもできる。このように導電性材料が分散された平坦化層１１３を用いることによ
り、後に形成される発光素子からの発熱を効率的に基板１０１に伝導させることができる
ため、より放熱性を高めることができる。また、平坦性を向上させる、または絶縁性を向
上させるため、導電性粒子が分散された有機樹脂上にさらに有機樹脂を積層して用いても
良い。
【００６３】
なお、基板１０１の表面が絶縁処理され、且つその平坦性が高い場合には、平坦化層１
１３を設けなくても良い。
【００６４】
続いて、平坦化層１１３上に、第１の電極層１０３、及び配線１１１を形成する。
【００６５】
第１の電極層１０３は、その一部が発光素子を構成する一方の電極となる。また配線１
１１は、後に形成される発光素子を構成する第２の電極に電力を供給する配線である。こ
こで第１の電極層１０３及び配線１１１のそれぞれは、一部が外部から電力を供給するた
めの取り出し電極としても機能する。
【００６６】
第１の電極層１０３及び配線１１１は、同一の材料で形成しても良いし、異なる材料を
用いても良い。また少なくとも第１の電極層１０３上の発光素子が形成される領域には、
後に形成されるＥＬ層１０５からの発光に対して反射性を有する材料を用いる。また、第
１の電極層１０３上の発光素子が形成される領域に、光反射性の高い材料を積層してもよ
い。
【００６７】
第１の電極層１０３及び配線１１１に用いる材料としては、例えばアルミニウム、金、
白金、銀、ニッケル、タングステン、クロム、モリブデン、鉄、コバルト、銅、又はパラ
ジウム等の金属、またはこれらを含む合金を用いることができる。またこれら金属材料を
含む金属または合金にランタンやネオジム、ゲルマニウムなどを添加してもよい。そのほ
か、アルミニウムとチタンの合金、アルミニウムとニッケルの合金、アルミニウムとネオ
ジムの合金などのアルミニウムを含む合金（アルミニウム合金）や、銀と銅の合金、銀と
マグネシウムの合金などの銀を含む合金を用いることもできる。銀と銅の合金は耐熱性が
高いため好ましい。さらに、アルミニウム合金膜に接する金属膜、または金属酸化物膜を
積層することで、アルミニウム合金膜の酸化を抑制することができる。該金属膜、金属酸
化物膜の材料としては、チタン、酸化チタンなどが挙げられる。また、上記透光性を有す
る材料からなる膜と金属材料からなる膜とを積層しても良い。例えば、銀と酸化インジウ
ム酸化スズの積層膜、銀とマグネシウムの合金と酸化インジウム酸化スズの積層膜などを
用いることができる。
【００６８】
第１の電極層１０３及び配線１１１は、スパッタリング法、真空蒸着法、スクリーン印
刷法などの印刷法、インクジェット法やディスペンス法などの吐出法、またはメッキ法な
どを用いて形成できる。とくに、スクリーン印刷法を用い、これらを同時に形成すること
が好ましい。
【００６９】
この段階における上面概略図及び断面概略図が図１（Ａ）に相当する。
【００７０】
続いて、第１の電極層１０３及び配線１１１の端部の一部を覆い、且つ第１の電極層１
０３及び配線１１１の一部を露出させる開口部を備える絶縁層１１５を形成する。
【００７１】
絶縁層１１５は、インクジェット法やディスペンス法などの吐出法、スクリーン印刷な
どの印刷法などを用いて形成することができる。また、フォトリソグラフィ法を用いても
良い。
【００７２】
絶縁層１１５は、後に形成される第２の電極層１０７の被覆性を良好なものとするため
、絶縁層１１５の上端部又は下端部に曲率半径（０．２μｍ〜３μｍ）を有する曲面を持
たせるのが好ましい。また、絶縁層１１５の材料としては、平坦化層１１３と同様の材料
の他、光の照射によってエッチャントに不溶解性となるネガ型の感光性樹脂、あるいは光
の照射によってエッチャントに溶解性となるポジ型の感光性樹脂などの有機化合物や、酸
化シリコン、酸窒化シリコン等の無機化合物を用いることができる。
【００７３】
この段階における上面概略図及び断面概略図が図１（Ｂ）に相当する。
【００７４】
続いて、ＥＬ層１０５を第１の電極層１０３上に形成する。ＥＬ層１０５は、真空蒸着
法、またはインクジェット法やディスペンス法などの吐出法、スピンコート法などの塗布
法を用いて形成する。
【００７５】
ＥＬ層１０５は、少なくとも発光性の有機化合物を含む層（以下、発光層ともいう）を
含めば良く、単数の層で構成されていても、複数の層が積層されていてもよい。複数の層
で構成されている構成としては、陽極側から正孔注入層、正孔輸送層、発光層、電子輸送
層、並びに電子注入層が積層された構成を例に挙げることができる。なお、発光層を除く
これらの層はＥＬ層１０５中に必ずしも全て設ける必要はない。また、これらの層は重複
して設けることもできる。具体的にはＥＬ層１０５中に複数の発光層を重ねて設けてもよ
く、電子注入層に重ねて正孔注入層を設けてもよい。また、中間層として電荷発生層の他
、電子リレー層など他の構成を適宜加えることができる。また、例えば、異なる発光色を
呈する発光層を複数積層する構成としてもよい。例えば補色の関係にある２以上の発光層
を積層することにより白色発光を得ることができる。
【００７６】
この段階における上面概略図及び断面概略図が図１（Ｃ）に相当する。
【００７７】
続いて、ＥＬ層１０５を覆い、且つ配線１１１と電気的に接続する第２の電極層１０７
を形成する。
【００７８】
第２の電極層１０７は、ＥＬ層１０５からの発光に対して透光性を有する材料を用いる
。
【００７９】
透光性を有する材料としては、酸化インジウム、酸化インジウム酸化スズ、酸化インジ
ウム酸化亜鉛、酸化亜鉛、ガリウムを添加した酸化亜鉛などを用いることができる。また
は、グラフェンを用いても良い。また、上記導電層として、金、銀、白金、マグネシウム
、ニッケル、タングステン、クロム、モリブデン、鉄、コバルト、銅、パラジウム、また
はチタンなどの金属材料や、これらを含む合金を用いることができる。または、これら金
属材料の窒化物（例えば、窒化チタン）などを用いても良い。なお、金属材料（またはそ
の窒化物）を用いる場合には、透光性を有する程度に薄くすればよい。また、上記材料の
積層膜を導電層として用いることができる。例えば、銀とマグネシウムの合金と酸化イン
ジウム酸化スズの積層膜などを用いると、導電性を高めることができるためこのましい。
【００８０】
第２の電極層１０７は、蒸着法や、スパッタリング法などにより形成する。そのほか、
インクジェット法などの吐出法、スクリーン印刷法などの印刷法、またはメッキ法を用い
て形成することができる。
【００８１】
なお、透光性を有する上述の導電性酸化物をスパッタリング法によって形成する場合、
当該導電性酸化物を、アルゴン及び酸素を含む雰囲気下で成膜すると、透光性を向上させ
ることができる。
【００８２】
また導電性酸化物膜をＥＬ層上に形成する場合、酸素濃度が低減されたアルゴンを含む
雰囲気下で成膜した第１の導電性酸化物膜と、アルゴン及び酸素を含む雰囲気下で成膜し
た第２の導電性酸化物膜の積層膜とすると、ＥＬ層への成膜ダメージを低減させることが
できるため好ましい。ここで特に第１の導電性酸化物膜を成膜する際に用いるアルゴンガ
スの純度が高いことが好ましく、例えば露点が−７０℃以下、好ましくは−１００℃以下
のアルゴンガスを用いることが好ましい。
【００８３】
このようにして、第１の電極層１０３、ＥＬ層１０５、及び第２の電極層１０７が積層
された発光素子１２０が形成される。ここで、基板１０１上に形成された構成をまとめて
、発光デバイス１１０と呼ぶこととする。
【００８４】
また、発光デバイス１１０を形成する各工程において、基板１０１を被形成面が平坦に
なるように配置して形成する。したがって、発光デバイス１１０を構成する各層の厚さ、
形状、位置などの制御性を高めることができる。特に、発光素子１２０を構成する第１の
電極層１０３、ＥＬ層１０５、及び第２の電極層１０７のそれぞれの厚さを均一にできる
ため、発光輝度の均一性が高められた発光装置を作製することができる。
【００８５】
また、第２の電極層１０７上に保護膜を形成しても良い。保護膜を形成することにより
、発光素子１２０への水や酸素などの不純物の拡散が抑制され、信頼性の高い発光装置と
することができる。保護膜としては透光性を有し、且つ水や酸素に対するバリア性を備え
る材料をもちいる。例えばシリコンなどの半導体やアルミニウムなどの金属の酸化物また
は窒化物を用いればよい。
【００８６】
この段階における上面概略図及び断面概略図が図１（Ｄ）に相当する。
【００８７】
続いて、図２（Ａ）に示すように、支持体１２１上に発光デバイス１１０が形成された
基板１０１を配置する。なお明瞭化のため、以下の図面では、発光デバイス１１０を簡略
化して明示する。
【００８８】
支持体１２１は、湾曲した表面を備える。また、その断面が連続した曲線で構成されて
いることが好ましい。図２（Ａ）としては、凸形状である円弧状の表面形状を有する支持
体１２１を示しているが、これ以外にも様々な形状をとり得る。例えばその断面形状が凹
形状である円弧状、または波状の形状などとすることができる。
【００８９】
支持体１２１の湾曲した表面に沿って、基板１０１を配置する。ここで、基板１０１は
可塑性を備えているため、支持体１２１の湾曲した表面に沿って湾曲させて配置した後に
は、その形状を留めておくことができる。
【００９０】
また、支持体１２１と基板１０１とを接着材料や固定具を用いて固定してもよい。なお
、後に発光装置１００を支持体１２１から取り外して使用する場合には、弱粘性の接着材
料や、脱着可能な固定具で固定する。
【００９１】
ここで、用いる支持体１２１の曲率半径としては、基板１０１を湾曲させたときに発光
デバイス１１０を構成する各層にクラックや割れが生じない程度の大きさの曲率半径とす
ることができる。また、発光デバイス１１０を構成する各層を薄く形成するほど、曲率半
径の小さい支持体を用いることができる。
【００９２】
続いて、湾曲した基板１０１上に、封止材１２２を塗布する（図２（Ｂ））。封止材１
２２は、少なくとも発光素子１２０を覆う領域、且つ後に保護層を形成する領域上に滴下
するなどして形成する。また、このとき、第１の電極層１０３及び配線１１１の、基板１
０１の外周側に設けられた取り出し電極として機能する領域が露出するように、封止材１
２２を塗布する。
【００９３】
封止材１２２としては、光硬化性の有機樹脂を用いる。また、封止材１２２には、光照
射により硬化した後に、少なくとも発光素子からの発光に対する透光性を有する材料を用
いる。
【００９４】
例えば、封止材１２２としてＰＶＣ（ポリビニルクロライド）、アクリル、ポリイミド
、エポキシ樹脂、シリコーン樹脂、ＰＶＢ（ポリビニルブチラル）またはＥＶＡ（エチレ
ンビニルアセテート）を用いることができる。
【００９５】
続いて、保護層１２５を封止材１２２の一部に接して設ける（図２（Ｃ））。
【００９６】
保護層１２５は、少なくとも発光素子１２０からの発光に対して透光性を有する材料を
用いる。例えば、シート状の有機樹脂や、可撓性を有する程度の厚さのガラス材料を用い
ることができる。
【００９７】
保護層１２５を複数の層を積層して用いることもできる。特に、ガラス層を有する構成
とすると、水や酸素に対するバリア性を向上させ、信頼性の高い発光装置とすることがで
きる。
【００９８】
特に保護層１２５として、発光素子に近い側からガラス層、接着層、及び有機樹脂層を
積層したシートを用いることが好ましい。当該ガラス層の厚さとしては２０μｍ以上２０
０μｍ以下、好ましくは２５μｍ以上１００μｍ以下の厚さとする。このような厚さのガ
ラス層は、水や酸素に対する高いバリア性と可撓性を同時に実現できる。また、有機樹脂
層の厚さとしては、１０μｍ以上２００μｍ以下、好ましくは２０μｍ以上５０μｍ以下
とする。このような有機樹脂層をガラス層よりも外側に設けることにより、ガラス層の割
れやクラックを抑制し、機械的強度を向上させることができる。このようなガラス材料と
有機樹脂の複合材料を保護層１２５に適用することにより、極めて信頼性が高く、且つ湾
曲した発光装置とすることができる。
【００９９】
まず、基板１０１上の少なくとも発光素子１２０が設けられている領域よりも外側の領
域において、保護層１２５を、その端部が封止材１２２と接するように設ける。このとき
、図２（Ｃ）に示すように、保護層１２５の端部以外は封止材１２２と接しないようにす
ることが好ましい。
【０１００】
続いて、保護層１２５と封止材１２２とが接触している領域に、光１２７を照射し、当
該領域の封止材１２２を硬化させ、基板１０１と保護層１２５を接着する。このとき、封
止材１２２が硬化した一部の領域が封止層１２３となる。
【０１０１】
その後、保護層１２５と封止層１２３が接着した領域を支点として、保護層１２５を徐
々に湾曲させながら、保護層１２５を密着させる。このように、保護層１２５の端部を一
度接着した後に、接着箇所から外側に向かって徐々に貼り合わせを行うことにより、気泡
などが取り込まれることが抑制され、信頼性の高い発光装置とすることができる。
【０１０２】
この貼り合わせは、例えばローラー状の押し付け部材を用いて、上記接着箇所を始点に
転がすようにして、保護層１２５と封止材１２２とを密着させることが好ましい。またこ
のとき、保護層１２５と基板１０１との距離が一定になるように制御することが好ましい
。
【０１０３】
続いて、図２（Ｄ）に示すように、保護層１２５の上方から封止材１２２に対して光１
２７を照射して、封止材１２２を硬化させ、封止層１２３を形成する。
【０１０４】
このとき、保護層１２５が剥がれてしまわないように固定した状態で、封止材１２２へ
の光１２７の照射を行っても良い。
【０１０５】
以上の工程により、支持体１２１上に、湾曲した発光面を備える発光装置１００を形成
することができる。
【０１０６】
なお、上記では封止材１２２に用いる材料として光硬化性の有機樹脂を用いたが、これ
に限られず、熱硬化性の有機樹脂や、二液混合型の樹脂などの常温で硬化する硬化樹脂を
用いることもできる。
【０１０７】
封止材１２２に熱硬化性の樹脂を用いる場合には、保護層１２５の一部を封止材１２２
と密着させた後、その密着箇所を局所的に加熱して硬化させればよい。その後、保護層１
２５を湾曲させて封止材１２２に密着させた後、全体的に加熱して硬化させればよい。局
所的に加熱する方法としては、ランプの光を局所的に照射する、またはヒータなどの熱源
を近づけるなどすればよい。また全体を加熱する方法には、ランプやヒータに加え、ホッ
トプレートやオーブンなどを用いればよい。
【０１０８】
また、封止材１２２に常温で硬化する樹脂を用いる場合には、まず、あらかじめ発光素
子１２０が設けられている領域よりも外側の領域に樹脂を塗布し、保護層１２５の一部と
密着させた状態で硬化させる。その後、発光素子１２０と重なる領域に再度樹脂を塗布し
、保護層１２５を湾曲させながら当該樹脂に密着させ、硬化させればよい。
【０１０９】
また、上記では発光素子１２０が設けられている領域よりも外側の領域において、保護
層１２５と密着させた封止材１２２を硬化させて、保護層１２５と基板１０１とを接着す
る方法を説明したが、少なくとも保護層１２５を湾曲させる際に、当該領域において保護
層１２５の位置がずれないように固定されていればよく、この方法に限定されない。
【０１１０】
例えば、基板１０１上に封止材１２２を塗布した後、発光素子１２０が設けられている
領域よりも外側の領域において保護層１２５を封止材１２２と密着させて配置し、保護層
１２５の端部を基板１０１に固定させた状態で保護層１２５を湾曲させ、封止材１２２と
密着させた後、封止材１２２の全体を硬化させればよい。保護層１２５の端部を基板１０
１と固定する方法としては、押し付け部材を用いて保護層１２５の上方から押し付ける方
法や、支持体１２１または基板１０１と直接テープなどの固定具を用いて保護層１２５の
端部を固定する方法などがある。
【０１１１】
このような方法を用いる場合には、封止材１２２に用いる硬化性材料の種類は限定され
ず、光硬化性樹脂、熱硬化性樹脂、または常温で硬化する硬化樹脂など、適宜用いること
ができる。
【０１１２】
なお、発光装置１００は、図２（Ｄ）に示すように支持体１２１に支持された状態で用
いても良いし、図２（Ｅ）に示すように、支持体１２１から外して単体で用いても良い。
【０１１３】
発光装置１００を支持体１２１に支持された状態で使用する場合としては、例えば照明
装置や電子機器の筐体となる部材を支持体１２１として用い、支持体１２１上に発光装置
１００を作製した後、そのまま照明装置や電子機器に組み込んでもよい。
【０１１４】
このように、基板１０１に可塑性を有する材料を用いることにより、基板１０１上への
発光デバイス１１０の形成工程を、被形成面が平坦な状態で行うことができるため、輝度
の分布が改善された発光装置とすることができる。
【０１１５】
さらに、基板１０１と保護層１２５とを貼り合わせる工程を、湾曲した状態で行えるた
め、貼り合わせ後に生じる保護層１２５に起因する応力を緩和することができる。ここで
例えば、平坦な状態で保護層１２５の貼り合わせを行った後に、発光装置１００全体を湾
曲させた場合、保護層１２５自体、又は保護層１２５と固定されている封止層や発光デバ
イスに大きな応力が生じるため、これらにクラックや割れが生じてしまう。このように湾
曲した状態で保護層を接着することにより、このような応力を緩和できるため、信頼性の
高い発光装置とすることができる。
【０１１６】
特に、封止層としてガラス層を含む材料を用いた場合には、平坦な状態で貼り合わせを
行った後に大きく湾曲させると、封止層自体が可撓性を有していたとしても、封止層が基
板と接着されているため当該ガラス層にかかる応力が大きくなり、割れが生じてしまう可
能性が高い。一方、上記方法を用いた場合では、封止層を湾曲させる時点では封止層と基
板とが接着されていないため、大きく湾曲させても割れる恐れがなく、その結果、曲率半
径の小さい発光面を備え、且つガラス層により不純物の拡散が抑制された信頼性の高い発
光装置を実現できる。
【０１１７】
［変形例］
また、支持体１２１の形状を異ならせることにより、様々な形状の発光装置を容易に作
製することができる。例えば図３に示すように、波形状の発光装置１００とすることがで
きる。
【０１１８】
また、本実施の形態では、発光デバイス１１０の上面形状を四角形としたが、これに限
られず、さまざまな形状の発光デバイスとしてもよい。楕円を含む円形や、多角形をはじ
め異なる曲率の曲線で囲まれた図形や、曲線と直線で囲まれた図形など、様々な形状とす
ることができるため、高いデザイン性を実現できる。
【０１１９】
また、基板１０１や保護層１２５としてシート状の材料を用いることができるため、Ｒ
ｏｌｌ  Ｔｏ  Ｒｏｌｌ方式に適しており、容易に大面積の発光装置を作製することがで
きる。
【０１２０】
本実施の形態は、本明細書中に記載する他の実施の形態及び実施例と適宜組み合わせて
実施することができる。
【０１２１】
（実施の形態２）
本実施の形態では、上記実施の形態で例示した発光装置の作製方法において、発光デバ
イスとして画像表示デバイスを適用する場合について、図面を参照して説明する。
【０１２２】
なお以下では、実施の形態１で説明した内容と重複する部分については、説明を省略す
るか、簡略化して説明する。
【０１２３】
可塑性を有する基板１０１上に形成される画像表示デバイスは、少なくとも一つの発光
素子を有する画素を複数備える。画像表示デバイスとしては、一つの画素が一つの発光素
子で構成された、パッシブマトリクス型の画像表示デバイスや、一つの画素に発光素子と
、少なくとも一つのトランジスタとで構成される、アクティブマトリクス型の画像表示デ
バイスがある。
【０１２４】
以下では、本発明の一態様の発光装置の作製方法に適用可能な画像表示装置の一例とし
て、アクティブマトリクス型の画像表示デバイスを例に挙げてについて説明する。
【０１２５】
［構成例］
図４（Ａ）は、画像表示デバイス１５０の画素の一部分であり、図４（Ｂ）は、図４（
Ａ）中の切断線Ｃ−Ｄで切断した断面における断面概略図である。
【０１２６】
図４（Ａ）に示す画像表示デバイス１５０は、複数のソース配線１５１が互いに平行且
つ互いに離間して配置しており、またソース配線１５１と交差する複数のゲート配線１５
２が互いに平行且つ互いに離間して配置している。また、ソース配線１５１とゲート配線
１５２に囲まれた領域が画像表示デバイス１５０の一つの画素となり、これがマトリクス
状に配置されている。
【０１２７】
また、各画素には、トランジスタ１５３及びトランジスタ１５４と、トランジスタ１５
４上に形成された発光素子１２０と、を備える。
【０１２８】
基板１０１は、実施の形態１と同様の基板を用いることができる。
【０１２９】
図４（Ｂ）には、基板１０１と、基板１０１上に設けられた接着層１６１と、接着層１
６１上に設けられた絶縁層１６３と、絶縁層１６３上に形成されたトランジスタ１５４と
、トランジスタ１５４と電気的に接続された発光素子１２０と、を含む断面概略図を示す
。
【０１３０】
トランジスタ１５４は、ゲート電極層、ゲート絶縁層、半導体層、並びにソース電極層
及びドレイン電極層を備える。
【０１３１】
画像表示デバイス１５０を構成するトランジスタの構造は特に限定されない。例えばス
タガ型のトランジスタとしてもよいし、逆スタガ型のトランジスタとしてもよい。また、
トップゲート型又はボトムゲート型のトランジスタのいずれのトランジスタ構造としても
よい。
【０１３２】
また、トランジスタに用いる半導体材料としては、例えばシリコンやゲルマニウムなど
の半導体材料を用いても良いし、インジウム、ガリウム、及び亜鉛のうち少なくともひと
つを含む酸化物半導体材料を用いても良い。また、トランジスタに用いる半導体の結晶性
についても特に限定されず、非結晶半導体、または結晶性を有する半導体（微結晶半導体
、多結晶半導体、単結晶半導体、または一部に結晶領域を有する半導体）のいずれを用い
ても良い。結晶性を有する半導体を用いるとトランジスタ特性の劣化が抑制されるため好
ましい。
【０１３３】
発光素子１２０は、実施の形態１と同様の構成とすることができ、第１の電極層１０３
、ＥＬ層１０５、及び第２の電極層１０７が順に積層されて構成している。また、第１の
電極１０３は、トランジスタ１５４のソース電極層又はドレイン電極層に、絶縁層１６５
、及び絶縁層１６７に設けられた開口部を介して電気的に接続している。
【０１３４】
また、発光素子１２０を覆う絶縁層１６６が形成されている。絶縁層１６６は、発光素
子に水や酸素などの不純物が拡散することを抑制するために設けられる。例えばシリコン
などの半導体の酸化物または窒化物、或いはアルミニウムなどの金属の酸化物または窒化
物といった、無機絶縁材料を用いることができる。
【０１３５】
隣接する画素の発光素子１２０は、異なる発光色を呈するＥＬ層１０５を備える。例え
ばそれぞれ赤色（Ｒ）、緑色（Ｇ）、青色（Ｂ）の発光色を呈するＥＬ層１０５を備える
発光素子１２０とすることにより、フルカラー表示可能な画像表示デバイス１５０とする
ことができる。また、上記３色に加え、黄色（Ｙ）や白色（Ｗ）の発光色を呈するＥＬ層
１０５を備える発光素子１２０を設けても良い。
【０１３６】
また、上記絶縁層１６５及び絶縁層１６７に設けられた開口部、及び第１の電極層１０
３を覆って絶縁層１１５が形成されている。絶縁層１１５の構成は、実施の形態１と同様
の構成とすることができる。
【０１３７】
絶縁層１６５は、下部に設けられるトランジスタなどにより凹凸形状の影響を抑制する
ための平坦化層として機能する。絶縁層１６５を設けることにより、発光素子１２０のシ
ョートなどを抑制することができる。絶縁層１６５は、感光性の有機樹脂などを用いて形
成することができる。
【０１３８】
また、トランジスタの半導体層に接する絶縁層１６８及び絶縁層１６９、トランジスタ
を覆う絶縁層１６７は、トランジスタを構成する半導体への不純物の拡散を抑制すること
が好ましい。これら絶縁層には、例えばシリコンなどの半導体の酸化物または窒化物、或
いはアルミニウムなどの金属の酸化物または窒化物を用いることができる。また、このよ
うな無機絶縁材料の積層膜、または無機絶縁材料と有機絶縁材料の積層膜を用いても良い
。
【０１３９】
ここで、接着層１６１は、絶縁性の材料を用いることができる。また接着層１６１は、
実施の形態１で例示した平坦化層１１３と同様に、基板１０１の表面の凹凸形状を被覆す
る機能を有する。また、金属または合金材料からなる粒子が分散された有機樹脂を備える
構成とすると、発光素子１２０からの発熱を効率的に基板１０１に伝導させることができ
るため、より放熱性を高めることができる。
【０１４０】
以上が、画像表示デバイス１５０の構成例についての説明である。
【０１４１】
［作製方法例］
以下では、画像表示デバイス１５０の作製方法について、図面を参照して説明する。
【０１４２】
まず、支持基板１７１上に剥離層１７３と、絶縁層１６３とを積層して形成する（図５
（Ａ））。絶縁層１６３の形成は、剥離層１７３を形成した後、大気に曝すことなく連続
して形成すると、不純物の混入を抑制できるため好ましい。
【０１４３】
支持基板１７１としては、平坦面を有する基板を用いる。例えばガラス、石英、サファ
イア、セラミックや金属などの基板を用いることができる。また、作製工程にかかる温度
に対する耐熱性を有する場合にはプラスチックなどの有機樹脂基板を用いても良い。ここ
でプラスチック基板を用いる場合には、剥離層１７３が不要な場合もある。
【０１４４】
また、本実施の形態では、支持基板１７１に接して剥離層１７３を形成しているが、支
持基板１７１にガラス基板を用いる場合に、支持基板１７１と剥離層１７３の間に酸化シ
リコン膜、酸化窒化シリコン膜、窒化シリコン膜、窒化酸化シリコン膜等の絶縁層を形成
することにより、ガラス基板からの汚染を防止でき、より好ましい。
【０１４５】
剥離層１７３は、タングステン、モリブデン、チタン、タンタル、ニオブ、ニッケル、
コバルト、ジルコニウム、ルテニウム、ロジウム、パラジウム、オスミウム、イリジウム
、シリコンから選択された元素、又は前記元素を含む合金材料、又は前記元素を含む化合
物材料からなり、単層又は積層された層である。シリコンを含む層の結晶構造は、非晶質
、微結晶、多結晶のいずれの場合でもよい。
【０１４６】
また、剥離層１７３は、スパッタリング法やプラズマＣＶＤ法、塗布法、印刷法等によ
り形成できる。なお、塗布法はスピンコート法、液滴吐出法、ディスペンス法を含む。
【０１４７】
剥離層１７３が単層構造の場合、好ましくは、タングステン層、モリブデン層、又はタ
ングステンとモリブデンの混合物を含む層を形成する。又は、タングステンの酸化物若し
くは酸化窒化物を含む層、モリブデンの酸化物若しくは酸化窒化物を含む層、又はタング
ステンとモリブデンの混合物の酸化物若しくは酸化窒化物を含む層を形成する。なお、タ
ングステンとモリブデンの混合物とは、例えば、タングステンとモリブデンの合金に相当
する。
【０１４８】
また、剥離層１７３として、タングステンを含む層とタングステンの酸化物を含む層の
積層構造を形成する場合、タングステンを含む層を形成し、その上層に酸化物で形成され
る絶縁層を形成することで、タングステン層と絶縁層との界面に、タングステンの酸化物
を含む層が形成されることを活用してもよい。また、タングステンを含む層の表面を、熱
酸化処理、酸素プラズマ処理、オゾン水等の酸化力の強い溶液での処理等を行ってタング
ステンの酸化物を含む層を形成してもよい。またプラズマ処理や加熱処理は、酸素、窒素
、亜酸化窒素単体、あるいは前記ガスとその他のガスとの混合気体雰囲気下で行ってもよ
い。上記プラズマ処理や加熱処理により、剥離層１７３の表面状態を変えることにより、
剥離層１７３と後に形成される絶縁層１６３との密着性を制御することが可能である。
【０１４９】
次に、絶縁層１６３を剥離層１７３上に形成する。絶縁層１６３は、窒化シリコン、酸
化窒化シリコン、及び窒化酸化シリコン等を単層または多層で形成するのが好ましい。
【０１５０】
絶縁層１６３は、スパッタリング法やプラズマＣＶＤ法、塗布法、印刷法等を用いて形
成することが可能であり、例えば、プラズマＣＶＤ法によって成膜温度を２５０℃以上４
００℃以下として形成することで、緻密で非常に透水性の低い膜とすることができる。な
お、絶縁層１６３の厚さは１０ｎｍ以上３０００ｎｍ以下、さらには２００ｎｍ以上１５
００ｎｍ以下が好ましい。
【０１５１】
続いて、絶縁層１６３上にトランジスタ１５３（図示しない）、トランジスタ１５４、
ソース配線１５１、ゲート配線１５２（図示しない）などを形成する。ここでは、ボトム
ゲート型のトランジスタを作製する。
【０１５２】
まず、ゲート電極層となる導電膜を形成後、公知のフォトリソグラフィ法を用いて当該
導電膜の不要な部分を除去し、ゲート電極層を形成する。なお、ここで同時にゲート電極
層と同一の層で形成される配線等が形成される。
【０１５３】
ゲート電極層の材料は、モリブデン、チタン、クロム、タンタル、タングステン、アル
ミニウム、銅、ネオジム、スカンジウム等の金属材料又はこれらの元素を含む合金材料を
用いて、単層で又は積層して形成することができる。
【０１５４】
次に、ゲート電極層上にゲート絶縁層となる絶縁層１６９を形成する。絶縁層１６９は
、プラズマＣＶＤ法又はスパッタリング法等を用いて、酸化シリコン、窒化シリコン、酸
化窒化シリコン、窒化酸化シリコン、または酸化アルミニウムを単層で又は積層して形成
することができる。例えば、成膜ガスとして、ＳｉＨ４、Ｎ２Ｏを用いてプラズマＣＶＤ
法により酸化窒化シリコン膜を形成すればよい。
【０１５５】
次に、半導体膜を形成し、フォトリソグラフィ法を用いて島状の半導体層を形成する。
【０１５６】
半導体膜の材料は、シリコン半導体や酸化物半導体を用いて形成することができる。シ
リコン半導体としては、単結晶シリコンや多結晶シリコン、または微結晶シリコンなどが
あり、酸化物半導体としては、例えばＩｎ、Ｇａ、Ｚｎのいずれか一を少なくとも含む酸
化物半導体を用いることができる。代表的にはＩｎ−Ｇａ−Ｚｎ−Ｏ系金属酸化物などが
挙げられる。ただし、半導体層としては、Ｉｎ−Ｇａ−Ｚｎ−Ｏ系金属酸化物である酸化
物半導体を用いて、オフ電流の低い半導体層とすることで、後に形成される発光素子のオ
フ時のリーク電流が抑制でき、好ましい。
【０１５７】
続いて、半導体層を覆う絶縁膜を成膜した後、フォトリソグラフィ法を用いて半導体層
の一部を露出する開口部が形成された絶縁層１６８を形成する。
【０１５８】
その後、導電膜を形成した後、フォトリソグラフィ法を用いてソース電極及びドレイン
電極を形成する。またこのとき同時に、ソース電極及びドレイン電極と同一の層で形成さ
れる配線等が形成される。
【０１５９】
ソース電極及びドレイン電極に用いる導電膜としては、例えば、Ａｌ、Ｃｒ、Ｃｕ、Ｔ
ａ、Ｔｉ、Ｍｏ、Ｗから選ばれた元素を含む金属膜、または上述した元素を含む金属窒化
物膜（窒化チタン膜、窒化モリブデン膜、窒化タングステン膜）等を用いることができる
。また、Ａｌ、Ｃｕなどの金属膜の下側又は上側の一方または双方にＴｉ、Ｍｏ、Ｗなど
の高融点金属膜またはそれらの金属窒化物膜（窒化チタン膜、窒化モリブデン膜、窒化タ
ングステン膜）を積層させた構成としても良い。また、ソース電極及びドレイン電極層に
用いる導電膜としては、導電性の金属酸化物で形成しても良い。導電性の金属酸化物とし
ては酸化インジウム（Ｉｎ２Ｏ３等）、酸化スズ（ＳｎＯ２等）、酸化亜鉛（ＺｎＯ）、
酸化インジウム酸化スズ（Ｉｎ２Ｏ３―ＳｎＯ２等）、酸化インジウム酸化亜鉛（Ｉｎ２
Ｏ３―ＺｎＯ等）、またはこれらの金属酸化物材料に酸化シリコンを含ませたものを用い
ることができる。
【０１６０】
以上の工程により、トランジスタ１５４が形成される。
【０１６１】
次に、半導体層、ソース電極及びドレイン電極上に、絶縁層１６７を形成する。絶縁層
１６７としては、酸化シリコン膜、酸化窒化シリコン、酸化アルミニウム膜などの無機絶
縁膜を用いることができる。
【０１６２】
次に、絶縁層１６７上に絶縁層１６５を形成する（図５（Ｂ）参照）。
【０１６３】
絶縁層１６５としては、トランジスタ起因の表面凹凸を低減するために平坦化機能を有
する絶縁膜を選択するのが好適である。例えば、ポリイミド、アクリル、ベンゾシクロブ
テン、等の有機材料を用いることができる。また上記有機材料の他に、低誘電率材料（ｌ
ｏｗ−ｋ材料）等を用いることができる。なお、これらの材料で形成される絶縁膜を複数
積層させることで、絶縁層１６５を形成してもよい。
【０１６４】
次に、フォトリソグラフィ法を用いて、絶縁層１６５、及び絶縁層１６７にソース電極
又はドレイン電極に達する開口部を形成する。開口方法は、ドライエッチング、ウェット
エッチングなど適宜選択すれば良い。または、絶縁層１６５として感光性の材料を用い、
フォトリソグラフィ法を用いて開口部を備える絶縁層１６５を形成した後、これをマスク
として絶縁層１６７の一部をエッチングして開口部を形成しても良い。または、絶縁層１
６７を形成した後に開口部を形成し、その後開口部を備える絶縁層１６５を形成しても良
い。
【０１６５】
次に、絶縁層１６５上に導電膜を形成し、フォトリソグラフィ法を用いて、トランジス
タ１５４のソース電極又はドレイン電極に電気的に接続する第１の電極層１０３を形成す
る。
【０１６６】
続いて、第１の電極層１０３の端部、及び絶縁層１６５に形成された開口部を覆う絶縁
層１１５を形成する（図５（Ｃ）参照）。
【０１６７】
続いて、第１の電極層１０３上にＥＬ層１０５を形成する。ここでは、メタルマスクを
用いて選択的に、隣接する画素に異なる発光色を呈するＥＬ層１０５を蒸着法により形成
する。
【０１６８】
なお、ＥＬ層１０５として共通して白色の発光を呈するＥＬ層を用い、隣接する画素の
発光素子１２０よりも上方に、それぞれ異なる光を透過するカラーフィルタを設けてフル
カラーを表示させる構成としてもよい。その場合には、カラーフィルタを絶縁層１６６上
に形成する、または保護層１２５の一表面にあらかじめ形成しておく。白色発光のＥＬ層
を共通して用いることにより、画素間を塗り分けるためのメタルマスクが不要となるため
好ましい。
【０１６９】
続いて、ＥＬ層１０５上に第２の電極層１０７を形成する。
【０１７０】
なお、第１の電極層１０３、または第２の電極層１０７は、いずれか一方は発光素子１
２０の陽極として機能し、他方は発光素子１２０の陰極として機能する。陽極として機能
する電極には、仕事関数の大きな物質が好ましく、陰極として機能する電極には仕事関数
の小さな物質が好ましい。
【０１７１】
以上の工程により、発光素子１２０が形成される。
【０１７２】
最後に、第２の電極層１０７を覆う絶縁層１６６を形成する（図５（Ｄ）参照）。
【０１７３】
以上の工程により、支持基板１７１上に、トランジスタや配線、及び発光素子１２０を
形成することができる。
【０１７４】
続いて、絶縁層１６３と剥離層１７３との間で剥離（分離）を行う（図６（Ａ）参照）
。剥離方法には様々な方法を用いることができる。
【０１７５】
例えば、剥離層１７３と絶縁層１６３がトランジスタの形成工程中の加熱により、剥離
層１７３と絶縁層１６３の界面に金属酸化膜が形成されている。剥離層１７３に達する溝
を形成し（図示しない）、該溝をきっかけとして金属酸化膜が脆弱化し、剥離層１７３と
絶縁層１６３との界面で剥離が生じる。
【０１７６】
剥離方法としては、機械的な力を加えること（人間の手や治具で引き剥がす処理や、ロ
ーラーを回転させながら分離する処理等）を用いて行えばよい。また、溝に液体を滴下し
、剥離層１７３及び絶縁層１６３の界面に液体を浸透させて剥離層１７３から絶縁層１６
３を剥離してもよい。また、溝にＮＦ３、ＢｒＦ３、ＣｌＦ３等のフッ化ガスを導入し、
剥離層１７３をフッ化ガスでエッチングし除去して、絶縁表面を有する支持基板１７１か
ら絶縁層１６３を剥離する方法を用いてもよい。
【０１７７】
その他の剥離方法としては、剥離層１７３をタングステンで形成した場合は、アンモニ
ア水と過酸化水素水の混合溶液により剥離層をエッチングしながら剥離を行うことができ
る。
【０１７８】
また剥離層１７３として、窒素、酸素や水素等を含む膜（例えば、水素を含む非晶質シ
リコン膜、水素含有合金膜、酸素含有合金膜など）を用い、支持基板１７１として透光性
を有する基板を用いた場合には、支持基板１７１から剥離層１７３にレーザー光を照射し
て、剥離層内に含有する窒素、酸素や水素を気化させて、支持基板１７１と剥離層１７３
との間で剥離する方法を用いることができる。
【０１７９】
次に、絶縁層１６３と、基板１０１とを接着層１６１を用いて接着する（図６（Ｂ）参
照）。この工程を転写ともよぶ。
【０１８０】
接着層１６１としては、紫外線硬化型接着剤など光硬化型の接着剤、反応硬化型接着剤
、熱硬化型接着剤、または嫌気型接着剤など各種硬化型接着剤を用いることができる。こ
れらの接着剤の材質としてはエポキシ樹脂やアクリル樹脂、シリコーン樹脂、フェノール
樹脂などを用いることができる。
【０１８１】
以上の工程により、可塑性を有する基板１０１上に画像表示デバイス１５０を形成する
ことができる（図６（Ｃ）参照）。
【０１８２】
このような画像表示デバイス１５０が形成された基板１０１を、実施の形態１で例示し
た発光装置の作製方法に適用することにより、湾曲した発光面を備える画像表示装置を作
製することができる。その場合、画像表示デバイス１５０を実施の形態１で例示した発光
デバイス１１０に置き換えればよい。
【０１８３】
本実施の形態は、本明細書中に記載する他の実施の形態及び実施例と適宜組み合わせて
実施することができる。
【０１８４】
（実施の形態３）
本実施の形態では、本発明の一態様の発光装置が適用された電子機器や照明装置の例に
ついて、図面を参照して説明する。
【０１８５】
湾曲した発光面を備える発光装置を適用した電子機器として、例えば、テレビジョン装
置（テレビ、又はテレビジョン受信機ともいう）、コンピュータ用などのモニタ、デジタ
ルカメラ、デジタルビデオカメラ、デジタルフォトフレーム、携帯電話機（携帯電話、携
帯電話装置ともいう）、携帯型ゲーム機、携帯情報端末、音響再生装置、パチンコ機など
の大型ゲーム機などが挙げられる。
【０１８６】
また、照明や表示装置を、家屋やビルの内壁または外壁や、自動車の内装または外装の
曲面に沿って組み込むことも可能である。
【０１８７】
図７（Ａ）は、携帯電話機の一例を示している。携帯電話機７４００は、筐体７４０１
に組み込まれた表示部７４０２の他、操作ボタン７４０３、外部接続ポート７４０４、ス
ピーカ７４０５、マイク７４０６などを備えている。なお、携帯電話機７４００は、発光
装置を表示部７４０２に用いることにより作製される。
【０１８８】
図７（Ａ）に示す携帯電話機７４００は、表示部７４０２を指などで触れることで、情
報を入力することができる。また、電話を掛ける、或いは文字を入力するなどのあらゆる
操作は、表示部７４０２を指などで触れることにより行うことができる。
【０１８９】
また操作ボタン７４０３の操作により、電源のＯＮ、ＯＦＦや、表示部７４０２に表示
される画像の種類を切り替えることができる。例えば、メール作成画面から、メインメニ
ュー画面に切り替えることができる。
【０１９０】
ここで、表示部７４０２には、本発明の一態様の発光装置が組み込まれている。したが
って、湾曲した表示部を備え、且つ信頼性の高い携帯電話機とすることができる。
【０１９１】
図７（Ｂ）は、リストバンド型の表示装置の一例を示している。携帯表示装置７１００
は、筐体７１０１、表示部７１０２、操作ボタン７１０３、及び送受信装置７１０４を備
える。
【０１９２】
携帯表示装置７１００は、送受信装置７１０４によって映像信号を受信可能で、受信し
た映像を表示部７１０２に表示することができる。また、音声信号を他の受信機器に送信
することもできる。
【０１９３】
また、操作ボタン７１０３によって、電源のＯＮ、ＯＦＦ動作や表示する映像の切り替
え、または音声のボリュームの調整などを行うことができる。
【０１９４】
ここで、表示部７１０２には、本発明の一態様の発光装置が組み込まれている。したが
って、湾曲した表示部を備え、且つ信頼性の高い携帯表示装置とすることができる。
【０１９５】
図７（Ｃ）〜（Ｅ）は、照明装置の一例を示している。照明装置７２００、７２１０、
７２２０はそれぞれ、操作スイッチ７２０３を備える台部７２０１と、台部７２０１に支
持される発光部を有する。
【０１９６】
図７（Ｃ）に示す照明装置７２００は、波状の発光面を有する発光部７２０２を備える
。したがってデザイン性の高い照明装置となっている。
【０１９７】
図７（Ｄ）に示す照明装置７２１０の備える発光部７２１２は、凸状に湾曲した２つの
発光部が対称的に配置された構成となっている。したがって照明装置７２１０を中心に全
方位を照らすことができる。
【０１９８】
図７（Ｅ）に示す照明装置７２２０は、凹状に湾曲した発光部７２２２を備える。した
がって、発光部７２２２からの発光を、照明装置７２２０の前面に集光するため、特定の
範囲を明るく照らす場合に適している。
【０１９９】
ここで、表示部７１０２には、本発明の一態様の発光装置が組み込まれている。したが
って、湾曲した表示部を備え、且つ信頼性の高い照明装置とすることができる。
【０２００】
なお、本発明の一態様の発光装置を具備していれば、上記で示した電子機器や照明装置
に特に限定されないことは言うまでもない。
【０２０１】
本実施の形態は、本明細書中に記載する他の実施の形態及び実施例と適宜組み合わせて
実施することができる。
【実施例１】
【０２０２】
本実施例では、絶縁性の基板、及び導電性の基板上にそれぞれ発光素子を作製し、これ
ら発光素子を発光させた時の温度特性を測定した結果について、説明する。
【０２０３】
［サンプルの作製］
まず、厚さ０．２ｍｍのアルミニウム基板、及び厚さ０．７ｍｍのガラス基板を準備し
た。
【０２０４】
続いて、それぞれの基板上に平坦化層として、スピンコート法により厚さ約６μｍのエ
ポキシ樹脂の層を形成した。
【０２０５】
続いて、第１の電極及び配線として、遮蔽マスクを用いたスパッタリング法により、厚
さ約５０ｎｍのチタン膜と、厚さ約２００ｎｍのアルミニウム膜と、厚さ約１００ｎｍの
チタン膜を積層して形成した。
【０２０６】
続いて、第１の電極の端部等を覆う絶縁層として、スクリーン印刷法により厚さ約２０
μｍのエポキシ樹脂の層を形成した。
【０２０７】
その後、第１の電極と重なる位置に、白色発光を呈するＥＬ層を真空蒸着法により形成
した。続いて、ＥＬ層上に第２の電極として、真空蒸着法により厚さ約３０ｎｍの銀とマ
グネシウムの合金膜を形成した。
【０２０８】
このようにして、アルミニウム基板、及びガラス基板上に長さ約５６ｍｍ、幅約４２ｍ
ｍの発光領域を備える発光素子を形成した。ここで、アルミニウム基板を用いたサンプル
をサンプル１、ガラス基板を用いたサンプルをサンプル２とする。本実施例では、サンプ
ル１及びサンプル２をそれぞれ２つ作製した。
【０２０９】
［温度特性評価］
続いて、各サンプルを発光させたときの発光面における温度の時間依存性を評価した。
【０２１０】
評価は、サンプルをステンレス製のテーブル上に接して配置し、サンプル上に厚さ０．
７ｍｍのガラス板を接触させて配置し、当該ガラス板上に熱電対を貼り付けて温度を測定
した。温度の測定は、発光面の中央部と外周に近い領域の２点について行った。
【０２１１】
図８（Ａ）、（Ｂ）は共に、各サンプルの各測定点における発光開始からの時間に対す
る温度変動の測定結果である。図８（Ａ）には発光面の中央部における測定結果を、図８
（Ｂ）には発光面の外周に近い領域における測定結果をそれぞれ示している。以下、測定
結果について説明する。
【０２１２】
まず、いずれのサンプルにおいても、発光面の外周に近い領域よりも中央部の方が、発
熱温度が高い傾向がみられた。
【０２１３】
アルミニウム基板を用いたサンプル１では、中央部に着目すると、発光開始から約５０
秒の間に急峻に温度が上昇するものの、それ以降では温度上昇が緩やかになる傾向がみら
れた。発光開始から３００秒後の発光面近傍の温度は、中央部で３７℃程度、外周に近い
領域で３４℃程度であった。
【０２１４】
一方、ガラス基板を用いたサンプル２では、サンプル１よりも発光開始からの温度上昇
が急峻であると共に、それ以降でも温度上昇の割合がサンプル１よりも大きい傾向がみら
れた。発光開始から３００秒後の発光面近傍の温度は、中央部で４２℃程度、外周に近い
領域で３７℃程度であった。
【０２１５】
以上の結果から、基板として金属基板を用いることにより、高い放熱性を実現できるこ
とが確認できた。
【０２１６】
本実施例は、本明細書中に記載する他の実施の形態及び実施例と適宜組み合わせて実施
することができる。
【実施例２】
【０２１７】
本実施例では、実施の形態１で例示した方法により作製した発光装置について説明する
。
【０２１８】
まず、実施例１で説明したサンプル１と同様に、アルミニウム基板上に平坦化層、第１
の電極層、絶縁層、ＥＬ層、及び第２の電極層を形成し、長さ約５６ｍｍ、幅約４２ｍｍ
の発光領域を備える発光素子を形成した。
【０２１９】
続いて、発光素子が形成されたアルミニウム基板を、曲率半径４５ｍｍの凸状の表面を
備える支持体に、弱粘性の接着剤を用いて湾曲させて固定した。
【０２２０】
続いて、アルミニウム基板上に封止材として、光硬化性のエポキシ樹脂を滴下した。
【０２２１】
続いて、保護層として、厚さ約５０μｍのガラス層と、厚さ約２０μｍの接着層と、厚
さ約３８μｍのＰＥＴ（Ｐｏｌｙｅｔｈｙｌｅｎｅ  ｔｅｒｅｐｈｔｈａｌａｔｅ）から
なる樹脂層が順に積層された積層体を用い、アルミニウム基板上の発光素子が設けられて
いない領域において、当該保護層の端部を上記光硬化性のエポキシ樹脂と密着させた。続
いて、波長３６５ｎｍの紫外線を保護層の上方から当該密着箇所に選択的に照射してエポ
キシ樹脂を硬化させ、保護層とアルミニウム基板の一部を接着させた。
【０２２２】
続いて、ローラー状の部材を用いて、これを保護層の上面に押し付けながら、上記密着
箇所を開始点として支持体の曲面に沿って押し付けながら転がし、保護層と光硬化性の樹
脂とを密着させた。
【０２２３】
続いて、保護層の上方から光硬化性の樹脂の未硬化の領域に、上記紫外線を照射して硬
化させ、アルミニウム基板と保護層とを完全に接着させた。
【０２２４】
このようにして、アルミニウム基板上に、湾曲した発光部を備える発光装置を作製した
。
【０２２５】
図９には、作製した発光装置を発光させた際の写真像を示す。
【０２２６】
また、本実施例で作製した発光装置は、常温常湿下において、３８０時間を越えた時点
においても、良好な発光が確認されている。なお、保護層を形成しないサンプルについて
は、作製後約８２時間の時点で発光不良が見られた。
【０２２７】
以上の結果から、本発明の一態様の作製方法により、クラックや割れなどの不具合が発
生することなく、湾曲した発光面を備える発光装置を作製できることが確認された。また
、このようにして作製した発光装置は、封止不良がなく、信頼性の高い発光装置であるこ
とが確認できた。
【０２２８】
本実施例は、本明細書中に記載する他の実施の形態及び実施例と適宜組み合わせて実施
することができる。
【符号の説明】
【０２２９】
１００      発光装置
１０１      基板
１０３      第１の電極層
１０５      ＥＬ層
１０７      第２の電極層
１１０      発光デバイス
１１１      配線
１１３      平坦化層
１１５      絶縁層
１２０      発光素子
１２１      支持体
１２２      封止材
１２３      封止層
１２５      保護層
１２７      光
１５０      画像表示デバイス
１５１      ソース配線
１５２      ゲート配線
１５３      トランジスタ
１５４      トランジスタ
１６１      接着層
１６３      絶縁層
１６５      絶縁層
１６６      絶縁層
１６７      絶縁層
１６８      絶縁層
１６９      絶縁層
１７１      支持基板
１７３      剥離層
７１００    携帯表示装置
７１０１    筐体
７１０２    表示部
７１０３    操作ボタン
７１０４    送受信装置
７２００    照明装置
７２０１    台部
７２０２    発光部
７２０３    操作スイッチ
７２１０    照明装置
７２１２    発光部
７２２０    照明装置
７２２２    発光部
７４００    携帯電話機
７４０１    筐体
７４０２    表示部
７４０３    操作ボタン
７４０４    外部接続ポート
７４０５    スピーカ
７４０６    マイク
【図１】
2020167174.tif 000003
【図２】
2020167174.tif 000004
【図３】
2020167174.tif 000005
【図４】
2020167174.tif 000006
【図５】
2020167174.tif 000007
【図６】
2020167174.tif 000008
【図７】
2020167174.tif 000009
【図８】
2020167174.tif 000010
【図９】
2020167174.tif 000011